(57)【要約】【課題】対物光学系の外周に複数の発光ダイオードを配置した側視内視鏡であっても、先端部外径を大きくすることなく構成する。【解決手段】前記一体型された複数の発光ダイオード１９を設けた基板２１は、内視鏡中心軸２５を含む平面上にある。同様に対物第１面レンズ３０の一部も内視鏡中心軸２５を含む平面上にある。同じ外径では、内視鏡中心軸２５を含む平面は、面積を一番広くとれることから、この平面上に、発光ダイオード１９部組を設置すれば、内視鏡先端部３の外径をできるだけ小さく抑えることができる。【選択図】図５
2005052672.tif 000002
【特許請求の範囲】
【請求項１】
先端部に照明手段として対物光学系の外周に複数の発光ダイオードを配置した側視の内視鏡において、
前記複数の発光ダイオードと、この発光ダイオードに電力を供給するための電源ケーブルとを基板に固定すると共に、前記複数の発光ダイオードを、前記対物光学系を囲むように前記基板上に配置した
ことを特徴とする側視の内視鏡。
【請求項２】
前記複数の発光ダイオードを２個づつ対になって近接して配置する
ことを特徴とする請求項１に記載の側視の内視鏡。
【請求項３】
前記複数の発光ダイオードを扇型に配置する
ことを特徴とする請求項１に記載の側視の内視鏡。
【発明の詳細な説明】
【技術分野】
【０００１】
本発明は側視の内視鏡、更に詳しくは照明手段としての発光ダイオードの配置部分に特徴のある側視の内視鏡に関する。
【背景技術】
【０００２】
従来から、内視鏡先端部に照明手段として発光ダイオード等の発光光源を備えた構造は提案されている。
【０００３】
例えば特開昭６３−２６０５２６号公報に示すように、発光特性を良くする為に、対物光学系を中心に複数の発光ダイオードを円周上に配置した側視の内視鏡先端部が示されている。
【特許文献１】特開昭６３−２６０５２６号公報
【発明の開示】
【発明が解決しようとする課題】
【０００４】
しかしながら、従来技術（特開昭６３−２６０５２６号公報）では、内視鏡外周の球面上に発光ダイオードを配置していることから、複数の発光ダイオードを１個１個先端部材に取り付けている。
【０００５】
内視鏡先端部材に対して、１個１個発光ダイオードを取り付けることは、各々の発光ダイオードの間隔を詰めることが難しい。それにより対物光学系の外周に複数の発光ダイオードを配置した側視内視鏡の場合、先端部が大きくなってしまうといった問題がある。
【０００６】
本発明は、上記事情に鑑みてなされたものであり、対物光学系の外周に複数の発光ダイオードを配置した側視内視鏡であっても、先端部外径を大きくすることなく構成することのできる側視の内視鏡を提供することを目的としている。
【課題を解決するための手段】
【０００７】
本発明の側視の内視鏡は、端部に照明手段として対物光学系の外周に複数の発光ダイオードを配置した側視の内視鏡において、前記複数の発光ダイオードと、この発光ダイオードに電力を供給するための電源ケーブルとを基板に固定すると共に、前記複数の発光ダイオードを、前記対物光学系を囲むように前記基板上に配置して構成される。
【発明の効果】
【０００８】
本発明によれば、対物光学系の外周に複数の発光ダイオードを配置した側視内視鏡であっても、先端部外径を大きくすることなく構成することができるという効果がある。
【発明を実施するための最良の形態】
【０００９】
以下、図面を参照しながら本発明の実施例について述べる。
【実施例１】
【００１０】
図１ないし図１０は本発明の実施例１に係わり、図１は側視型の内視鏡の構成を示す構成図、図２は図１の内視鏡先端部の構成を示す断面図、図３は図２のＡ−Ａ線断面を示す断面図、図４は図２を上部より見た図、図５は図４のＢ−Ｂ線断面を示す断面図、図６は図２のＣ−Ｃ線断面を示す断面図、図７は図１の内視鏡先端部の第１の変形例を説明する第１の説明図、図８は図１の内視鏡先端部の第１の変形例を説明する第２の説明図、図９は図１の内視鏡先端部の第２の変形例を説明する第１の説明図、図１０は図１の内視鏡先端部の第２の変形例を説明する第２の説明図である。
【００１１】
図１に示すように、側視型の内視鏡１は体腔内に挿入する挿入部２を備え、この挿入部２の先端に設けられた本実施の形態の内視鏡先端部（以下、先端部と記す）３に撮像手段及び照明手段としての発光ダイオードを有し、また、挿入部２の基端のコントロール部４には、先端部３の発光ダイオードの射出光量を調節する光量調節ツマミ５が設けられている。
【００１２】
そして、発光ダイオードにより照射された観察像が先端部３の撮像部で撮像されて電気信号に変換され、この電気信号は、カメラコントロールケーブル６でカメラコントロールユニット７に送られ、ＡＣアダプタ８により電力が供給されたカメラコントロールユニット７内で画像処理される。カメラコントロールユニット７内で処理された画像信号は、モニタケーブル９を通してモニタ１０に伝送され、内視鏡画像が映し出される。
【００１３】
図２及び図３に示すように、先端部３内には、固体撮像素子１１及び電子部品１２からなる光信号を電気信号に変換する撮像ユニット１３が、ホルダ１４を介してＣホンタイ１５に対してネジＣ１６で固定されている。
【００１４】
また、固体撮像素子１１の前側には、側視方向（挿入部２の長手方向に対して直角方向）の観察像を前記固体撮像素子１１に結像させるための対物レンズ部組１７が設けられている。
【００１５】
挿入部２内には、カメラコントロールユニット７から撮像ユニット１３への信号の授受を行うための信号ケーブル１８と、照明手段としての後述する発光ダイオード１９へ電力を供給するための電源ケーブル２０が通っている。
【００１６】
図４ないし図６に示すように、側視方向（挿入部２の長手方向に対して直角方向）に照明光を照射する照明手段としての発光ダイオード１９は、基板２１にハンダされ、かつ電源ケーブル２０も基板２１にハンダされた一体型の状態で、Ｂホンタイ２２に対してネジＡ２３にて固体されている。
【００１７】
前記一体型された複数の発光ダイオード１９を設けた基板２１は、内視鏡中心軸２５を含む平面上にある。
【００１８】
同様に対物第１面レンズ３０の一部も内視鏡中心軸２５を含む平面上にある。同じ外径では、内視鏡中心軸２５を含む平面は、面積を一番広くとれることから、この平面上に、発光ダイオード１９部組を設置すれば、内視鏡先端部３の外径をできるだけ小さく抑えることができる。
【００１９】
発光ダイオード１９は、基板２１と共にＢホンタイ２２に固定された後、ほぼ透明に近い充填剤２４にて、発光ダイオード１９の周辺及び発光面も含めて完全に覆うように満たしてある。この充填剤２４で、発光ダイオード１９の上面まで覆うことで、発光ダイオード１９を外部より保護するばかりで無く、水密も保っている。
【００２０】
なお、基板２１上の発光ダイオード１９は、図７及び図８に示すように、２個ずつ対になって実装しても良く、この場合、基板２１上に実装してから部組状態で、先端メカ部材３２に取り付ける構造であることから、２個の発光ダイオード１９の距離をぎりぎりまで近接して実装が可能である。それにより、基板幅３３を小さくすることができ、先端外径も小さく抑えることができる。
【００２１】
また、図９及び図１０に示すように、発光ダイオード１９のパッケージ形状を扇型にして、実装密度及び発光を向上させるように構成しても良い。
【００２２】
このように本実施の形態では、一体型された複数の発光ダイオード１９を設けた基板２１を内視鏡中心軸２５を含む平面上に配置し、対物第１面レンズ３０の一部も内視鏡中心軸２５を含む平面上に配置しているので、同じ外径では、内視鏡中心軸２５を含む平面が面積を一番広くとれることから、内視鏡先端部３の外径を小さく抑えることができる。
【００２３】
つまり、複数の発光ダイオードを基板上に実装した発光ダイオード部組を内視鏡中心軸を含む平面上に配置することで、実装密度を高くできることから、内視鏡先端外径をぎりぎりまで小さく抑えることができる。
【００２４】
また、複数の発光ダイオードを、一度に組み付けることができることから組立作業性が容易である。
【００２５】
本発明は、上述した実施例に限定されるものではなく、本発明の要旨を変えない範囲において、種々の変更、改変等が可能である。
【図面の簡単な説明】
【００２６】
【図１】本発明の実施例１に係る側視型の内視鏡の構成を示す構成図
【図２】図１の内視鏡先端部の構成を示す断面図
【図３】図２のＡ−Ａ線断面を示す断面図
【図４】図２を上部より見た図
【図５】図４のＢ−Ｂ線断面を示す断面図
【図６】図２のＣ−Ｃ線断面を示す断面図
【図７】図１の内視鏡先端部の第１の変形例を説明する第１の説明図
【図８】図１の内視鏡先端部の第１の変形例を説明する第２の説明図
【図９】図１の内視鏡先端部の第２の変形例を説明する第１の説明図
【図１０】図１の内視鏡先端部の第２の変形例を説明する第２の説明図
【符号の説明】
【００２７】
１…側視型の内視鏡
２…挿入部
３…内視鏡先端部
４…コントロール部
５…光量調節ツマミ
６…カメラコントロールケーブル
７…カメラコントロールユニット
８…ＡＣアダプタ
９…モニタケーブル
１０…モニタ
１１…固体撮像素子
１２…電子部品
１３…撮像ユニット
１４…ホルダ
１５…Ｃホンタイ
１６…ネジＣ
１７…対物レンズ部組
１８…信号ケーブル
１９…発光ダイオード
２０…電源ケーブル
２１…基板
２２…Ｂホンタイ
２３…ネジＡ
２４…充填剤
２５…内視鏡中心軸
３０…対物第１面レンズ
代理人    弁理士    伊藤  進
【図１】
2005052672.tif 000003
【図２】
2005052672.tif 000004
【図３】
2005052672.tif 000005
【図４】
2005052672.tif 000006
【図５】
2005052672.tif 000007
【図６】
2005052672.tif 000008
【図７】
2005052672.tif 000009
【図８】
2005052672.tif 000010
【図９】
2005052672.tif 000011
【図１０】
2005052672.tif 000012